(57)【要約】      （修正有）【課題】全長を短縮しつつ諸収差が良好に補正された、Ｆナンバーの明るい５枚構成の撮像レンズ、それを備えた撮像光学装置及びデジタル機器を提供する。【解決手段】撮像レンズＬＮは、物体側より順に、物体側に凸面を向けた正の第１レンズＬ１と、負の第２レンズＬ２と、第３レンズＬ３と、正の第４レンズＬ４と、第５レンズＬ５とからなり、各レンズが非球面を少なくとも１面有し、条件式：０．４＜Ｐ１２／Ｐ＜０．６，０．３５＜Ｐａｉｒ１２／Ｐ＜０．６５，１．３＜Ｐ４／Ｐ＜１．７５，ｆ／Ｒ５Ａ＜０．５，０．６＜（Ｒ５Ａ＋Ｒ５Ｂ）／（Ｒ５Ａ−Ｒ５Ｂ）＜１．４（Ｐ１２：第１レンズと第２レンズの合成屈折力、Ｐ：全系の合成屈折力、Ｐａｉｒ１２：第１レンズと第２レンズとの間の空気レンズの屈折力、Ｐ４：第４レンズの屈折力、ｆ：全系の焦点距離、Ｒ５Ａ：第５レンズの物体側面の曲率半径、Ｒ５Ｂ：第５レンズの像側面の曲率半径）を満足する。【選択図】図１
2014142499.tif 000002
【特許請求の範囲】
【請求項１】
撮像素子の撮像面に被写体像を結像させるための撮像レンズであって、物体側より順に、正の屈折力を有し物体側に凸面を向けた第１レンズと、負の屈折力を有する第２レンズと、第３レンズと、正の屈折力を有する第４レンズと、第５レンズと、からなり、前記各レンズが非球面を少なくとも１面有し、以下の条件式（１）〜（５）を満足することを特徴とする撮像レンズ；
０．４＜Ｐ１２／Ｐ＜０．６  …（１）
０．３５＜Ｐａｉｒ１２／Ｐ＜０．６５  …（２）
１．３＜Ｐ４／Ｐ＜１．７５  …（３）
ｆ／Ｒ５Ａ＜０．５  …（４）
０．６＜（Ｒ５Ａ＋Ｒ５Ｂ）／（Ｒ５Ａ−Ｒ５Ｂ）＜１．４  …（５）
ただし、
Ｐ１２：第１レンズと第２レンズの近軸における合成屈折力、
Ｐ：全系の近軸における合成屈折力、
Ｐａｉｒ１２：第１レンズと第２レンズとの間の空気レンズの近軸における屈折力、
Ｐ４：第４レンズの近軸における屈折力、
ｆ：全系の近軸における合成焦点距離、
Ｒ５Ａ：第５レンズの物体側面の近軸における曲率半径、
Ｒ５Ｂ：第５レンズの像側面の近軸における曲率半径、
である。
【請求項２】
以下の条件式（６）を満足することを特徴とする請求項１記載の撮像レンズ；
−０．１＜Ｐ３／Ｐ  …（６）
ただし、
Ｐ３：第３レンズの近軸における屈折力、
Ｐ：全系の近軸における合成屈折力、
である。
【請求項３】
以下の条件式（７）を満足することを特徴とする請求項１又は２記載の撮像レンズ；
１＜Ｒ３Ａ／ｆ＜５  …（７）
ただし、
Ｒ３Ａ：第３レンズの物体側面の近軸における曲率半径、
である。
【請求項４】
以下の条件式（８）を満足することを特徴とする請求項１〜３のいずれか１項に記載の撮像レンズ；
４０＜Ｖｄ３  …（８）
ただし、
Ｖｄ３：第３レンズのアッベ数、
である。
【請求項５】
以下の条件式（９）を満足することを特徴とする請求項１〜４のいずれか１項に記載の撮像レンズ；
０．０５＜Ｔ３４／ｆ＜０．２０  …（９）
ただし、
Ｔ３４：第３レンズと第４レンズとの光軸上の間隔、
ｆ：全系の近軸における合成焦点距離、
である。
【請求項６】
前記第２レンズが物体側に凸面を向けたメニスカス形状を有することを特徴とする請求項１〜５のいずれか１項に記載の撮像レンズ。
【請求項７】
以下の条件式（１０）を満足することを特徴とする請求項１〜６のいずれか１項に記載の撮像レンズ；
０．９＜（Ｒ４Ａ＋Ｒ４Ｂ）／（Ｒ４Ａ−Ｒ４Ｂ）＜１．６  …（１０）
ただし、
Ｒ４Ａ：第４レンズの物体側面の近軸における曲率半径、
Ｒ４Ｂ：第４レンズの像側面の近軸における曲率半径、
である。
【請求項８】
前記第５レンズは負の屈折力を有し、以下の条件式（１１）を満足することを特徴とする請求項１〜７のいずれか１項に記載の撮像レンズ；
−２．５＜Ｐ５／Ｐ＜−１．７  …（１１）
ただし、
Ｐ５：第５レンズの近軸における屈折力、
Ｐ：全系の近軸における合成屈折力、
である。
【請求項９】
前記第１レンズより物体側に開口絞りを有することを特徴とする請求項１〜８のいずれか１項に記載の撮像レンズ。
【請求項１０】
全てのレンズがプラスチック材料で形成されていることを特徴とする請求項１〜９のいずれか１項に記載の撮像レンズ。
【請求項１１】
請求項１〜１０のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項１２】
請求項１１記載の撮像光学装置を備えることにより、被写体の静止画撮影，動画撮影のうちの少なくとも一方の機能が付加されたことを特徴とするデジタル機器。
【請求項１３】
携帯端末であることを特徴とする請求項１２記載のデジタル機器。
【発明の詳細な説明】
【技術分野】
【０００１】
本発明は、撮像レンズ，撮像光学装置及びデジタル機器に関するものである。更に詳しくは、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込む撮像光学装置と、それを搭載した画像入力機能付きデジタル機器と、撮像素子の受光面上に被写体の光学像を形成する小型の撮像レンズと、に関するものである。
【背景技術】
【０００２】
近年、ＣＣＤ型イメージセンサーやＣＭＯＳ型イメージセンサー等の固体撮像素子を用いた撮像光学装置の高性能化・小型化に伴い、撮像光学装置を備えた携帯電話や携帯情報端末が普及しつつある。また、これらの撮像光学装置に搭載される撮像レンズには、更なる小型化だけでなく、明るいＦナンバー等の高性能化への要求も高まっている。このような用途の撮像レンズとして、３枚構成又は４枚構成のレンズに比べ高性能化が可能であるという理由から、５枚構成の撮像レンズが提案されている。
【０００３】
この５枚構成の撮像レンズとしては、物体側から順に、正の屈折力を有する第１レンズと、負の屈折力を有する第２レンズと、正又は負の屈折力を有する第３レンズと、正の屈折力を有する第４レンズと、負の屈折力を有する第５レンズと、で構成された撮像レンズが、特許文献１に開示されている。また、物体側から順に、正の屈折力を有する第１レンズと、負の屈折力を有する第２レンズと、正の屈折力を有する第３レンズと、正の屈折力を有する第４レンズと、正の屈折力を有する第５レンズと、で構成された撮像レンズが、特許文献２に開示されている。
【先行技術文献】
【特許文献】
【０００４】
【特許文献１】特開２０１０−２８２０００号公報
【特許文献２】米国特許第７，８２６，１５１号明細書
【発明の概要】
【発明が解決しようとする課題】
【０００５】
従来より提案されている撮像レンズでは、小型化及び明るいＦナンバーの達成を目的としているが、小型化と明るいＦナンバーとの両立を充分に達成できているとは言えない。例えば、上記特許文献１に記載の撮像レンズでは、第１レンズの屈折力、第２レンズの屈折力、第１レンズと第２レンズとに挟まれている空気レンズの屈折力、及び第４レンズの屈折力が最適化されていない。また、第５レンズの形状が最適化されていないため、諸収差の補正が不十分であり、全長短縮と明るいＦナンバーとを両立させることができていない。上記特許文献２に記載の撮像レンズでは、第１レンズの屈折力、第２レンズの屈折力、及び第４レンズの屈折力が最適化されていないため、十分な全長短縮及び明るいＦナンバーを達成できていない。
【０００６】
本発明はこのような問題点に鑑みてなされたものであって、その目的は、全長を短縮しつつ諸収差が良好に補正された、Ｆナンバーの明るい５枚構成の撮像レンズ、それを備えた撮像光学装置及びデジタル機器を提供することにある。
【０００７】
ここで、小型の撮像レンズの尺度であるが、本発明では以下の条件式（０）を満たすレベルの小型化を目指している。条件式（０）を満たすことにより、撮像光学装置全体の小型軽量化が可能となる。
ＴＬ／２Ｙ’＜０．９５  …（０）
ただし、
ＴＬ：撮像レンズ全系の最も物体側のレンズ面から像側焦点までの光軸上の距離、
２Ｙ’：撮像素子の撮像面対角線長（例えば、固体撮像素子の矩形実効画素領域の対角線長）、
であり、ここで、像側焦点とは撮像レンズに光軸と平行な平行光線が入射した場合の像点をいう。なお、撮像レンズの最も像側の面と像側焦点位置との間に、光学的ローパスフィルタ，赤外線カットフィルタ，固体撮像素子パッケージのシールガラス等の平行平板が配置される場合には、平行平板部分は空気換算距離としたうえで上記ＴＬの値を計算するものとする。
【０００８】
上記条件式（０）が規定している範囲のなかでも、より望ましくは以下の条件式（０ａ）の範囲が良く、更に望ましくは以下の条件式（０ｂ）の範囲が良い。
ＴＬ／２Ｙ’＜０．８５  …（０ａ）
ＴＬ／２Ｙ’＜０．８０  …（０ｂ）
【課題を解決するための手段】
【０００９】
上記目的を達成するために、第１の発明の撮像レンズは、撮像素子の撮像面に被写体像を結像させるための撮像レンズであって、物体側より順に、正の屈折力を有し物体側に凸面を向けた第１レンズと、負の屈折力を有する第２レンズと、第３レンズと、正の屈折力を有する第４レンズと、第５レンズと、からなり、前記各レンズが非球面を少なくとも１面有し、以下の条件式（１）〜（５）を満足することを特徴とする。
０．４＜Ｐ１２／Ｐ＜０．６  …（１）
０．３５＜Ｐａｉｒ１２／Ｐ＜０．６５  …（２）
１．３＜Ｐ４／Ｐ＜１．７５  …（３）
ｆ／Ｒ５Ａ＜０．５  …（４）
０．６＜（Ｒ５Ａ＋Ｒ５Ｂ）／（Ｒ５Ａ−Ｒ５Ｂ）＜１．４  …（５）
ただし、
Ｐ１２：第１レンズと第２レンズの近軸における合成屈折力、
Ｐ：全系の近軸における合成屈折力、
Ｐａｉｒ１２：第１レンズと第２レンズとの間の空気レンズの近軸における屈折力、
Ｐ４：第４レンズの近軸における屈折力、
ｆ：全系の近軸における合成焦点距離、
Ｒ５Ａ：第５レンズの物体側面の近軸における曲率半径、
Ｒ５Ｂ：第５レンズの像側面の近軸における曲率半径、
である。
【００１０】
第２の発明の撮像レンズは、上記第１の発明において、以下の条件式（６）を満足することを特徴とする。
−０．１＜Ｐ３／Ｐ  …（６）
ただし、
Ｐ３：第３レンズの近軸における屈折力、
Ｐ：全系の近軸における合成屈折力、
である。
【００１１】
第３の発明の撮像レンズは、上記第１又は第２の発明において、以下の条件式（７）を満足することを特徴とする。
１＜Ｒ３Ａ／ｆ＜５  …（７）
ただし、
Ｒ３Ａ：第３レンズの物体側面の近軸における曲率半径、
である。
【００１２】
第４の発明の撮像レンズは、上記第１〜第３のいずれか１つの発明において、以下の条件式（８）を満足することを特徴とする。
４０＜Ｖｄ３  …（８）
ただし、
Ｖｄ３：第３レンズのアッベ数、
である。
【００１３】
第５の発明の撮像レンズは、上記第１〜第４のいずれか１つの発明において、以下の条件式（９）を満足することを特徴とする。
０．０５＜Ｔ３４／ｆ＜０．２０  …（９）
ただし、
Ｔ３４：第３レンズと第４レンズとの光軸上の間隔、
ｆ：全系の近軸における合成焦点距離、
である。
【００１４】
第６の発明の撮像レンズは、上記第１〜第５のいずれか１つの発明において、前記第２レンズが物体側に凸面を向けたメニスカス形状を有することを特徴とする。
【００１５】
第７の発明の撮像レンズは、上記第１〜第６のいずれか１つの発明において、以下の条件式（１０）を満足することを特徴とする。
０．９＜（Ｒ４Ａ＋Ｒ４Ｂ）／（Ｒ４Ａ−Ｒ４Ｂ）＜１．６  …（１０）
ただし、
Ｒ４Ａ：第４レンズの物体側面の近軸における曲率半径、
Ｒ４Ｂ：第４レンズの像側面の近軸における曲率半径、
である。
【００１６】
第８の発明の撮像レンズは、上記第１〜第７のいずれか１つの発明において、前記第５レンズは負の屈折力を有し、以下の条件式（１１）を満足することを特徴とする。
−２．５＜Ｐ５／Ｐ＜−１．７  …（１１）
ただし、
Ｐ５：第５レンズの近軸における屈折力、
Ｐ：全系の近軸における合成屈折力、
である。
【００１７】
第９の発明の撮像レンズは、上記第１〜第８のいずれか１つの発明において、前記第１レンズより物体側に開口絞りを有することを特徴とする。
【００１８】
第１０の発明の撮像レンズは、上記第１〜第９のいずれか１つの発明において、全てのレンズがプラスチック材料で形成されていることを特徴とする。
【００１９】
第１１の発明の撮像光学装置は、上記第１〜第１０のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００２０】
第１２の発明のデジタル機器は、上記第１１の発明に係る撮像光学装置を備えることにより、被写体の静止画撮影，動画撮影のうちの少なくとも一方の機能が付加されたことを特徴とする。
【００２１】
第１３の発明のデジタル機器は、上記第１２の発明において、携帯端末であることを特徴とする。
【発明の効果】
【００２２】
本発明の構成を採用することにより、全長を短縮しつつ諸収差が良好に補正された、Ｆナンバーの明るい５枚構成の撮像レンズと、それを備えた撮像光学装置を実現することができる。そして、本発明に係る撮像光学装置を携帯電話，携帯情報端末等のデジタル機器に用いることによって、デジタル機器に対し高性能の画像入力機能をコンパクトに付加することが可能となる。
【図面の簡単な説明】
【００２３】
【図１】第１の実施の形態（実施例１）のレンズ構成図。
【図２】実施例１の収差図。
【図３】第２の実施の形態（実施例２）のレンズ構成図。
【図４】実施例２の収差図。
【図５】第３の実施の形態（実施例３）のレンズ構成図。
【図６】実施例３の収差図。
【図７】第４の実施の形態（実施例４）のレンズ構成図。
【図８】実施例４の収差図。
【図９】第５の実施の形態（実施例５）のレンズ構成図。
【図１０】実施例５の収差図。
【図１１】第６の実施の形態（実施例６）のレンズ構成図。
【図１２】実施例６の収差図。
【図１３】撮像レンズを搭載したデジタル機器の概略構成例を示す模式図。
【発明を実施するための形態】
【００２４】
以下、本発明に係る撮像レンズ，撮像光学装置，デジタル機器等を説明する。本発明に係る撮像レンズは、撮像素子の撮像面（例えば、固体撮像素子の光電変換部）に被写体像を結像させるための撮像レンズであって、物体側より順に、正の屈折力を有し物体側に凸面を向けた第１レンズと、負の屈折力を有する第２レンズと、第３レンズと、正の屈折力を有する第４レンズと、第５レンズと、からなり、前記各レンズが非球面を少なくとも１面有し、以下の条件式（１）〜（５）を満足することを特徴としている。
０．４＜Ｐ１２／Ｐ＜０．６  …（１）
０．３５＜Ｐａｉｒ１２／Ｐ＜０．６５  …（２）
１．３＜Ｐ４／Ｐ＜１．７５  …（３）
ｆ／Ｒ５Ａ＜０．５  …（４）
０．６＜（Ｒ５Ａ＋Ｒ５Ｂ）／（Ｒ５Ａ−Ｒ５Ｂ）＜１．４  …（５）
ただし、
Ｐ１２：第１レンズと第２レンズの近軸における合成屈折力、
Ｐ：全系の近軸における合成屈折力、
Ｐａｉｒ１２：第１レンズと第２レンズとの間の空気レンズの近軸における屈折力、
Ｐ４：第４レンズの近軸における屈折力、
ｆ：全系の近軸における合成焦点距離、
Ｒ５Ａ：第５レンズの物体側面の近軸における曲率半径、
Ｒ５Ｂ：第５レンズの像側面の近軸における曲率半径、
である。
【００２５】
上記屈折力は、近軸における焦点距離の逆数を表すものである。例えば、全系の近軸における合成屈折力Ｐとは、全系の近軸における合成焦点距離ｆの逆数（Ｐ＝１／ｆ）を表すものである。また、屈折力Ｐａｉｒ１２は、第１レンズの像側面と第２レンズの物体側面とにより形成される空気レンズの屈折力であり、式：
Ｐａｉｒ１２＝（１−Ｎ１）／Ｒ１Ｂ＋（Ｎ２−１）／Ｒ２Ａ−｛（（１−Ｎ１）・（Ｎ２−１））／（Ｒ１Ｂ・Ｒ２Ａ）｝・Ｔ１２
で求められる。
ただし、
Ｎ１：第１レンズのｄ線に対する屈折率、
Ｎ２：第２レンズのｄ線に対する屈折率、
Ｒ１Ｂ：第１レンズの像側面の近軸における曲率半径、
Ｒ２Ａ：第２レンズの物体側面の近軸における曲率半径、
Ｔ１２：第１レンズと第２レンズの軸上の空気間隔、
である。
【００２６】
正の屈折力を有し物体側に凸面を向けた第１レンズと、負の屈折力を有する第２レンズと、に関する条件式（１）及び条件式（２）は、第１レンズと第２レンズの屈折力を適切に設定し、レンズ全長の短縮と量産時の結像性能の劣化防止とを両立させるための条件式である。条件式（１）の下限を上回ることで、全長が大きくなりすぎるのを防止することができる。一方、条件式（１）の上限を下回ることで、過剰な屈折力を第１レンズと第２レンズで負担することを防止し、製造による誤差がレンズに発生した際にも性能の劣化を防止することができる。
【００２７】
また、条件式（２）の下限を上回ることで、第１レンズと第２レンズで構成される空気レンズの屈折力が弱くなりすぎず、第１レンズで発生した球面収差を始め諸収差を第２レンズで適切に補正することができる。さらに、正の屈折力を持つ第１レンズが物体側に凸面を向けることで、全長短縮に有利となる。一方、条件式（２）の上限を下回ることで、第１レンズと第２レンズとの間の空気レンズが過剰な屈折力を持つことがなくなるため、第１レンズと第２レンズの製造による相対位置のズレ等による性能劣化を防止することができる。
【００２８】
撮像レンズの後半部においては、正の屈折力を有する第４レンズに関する条件式（３）もまた、レンズ全長の短縮と量産時の結像性能の劣化防止とを両立させるための条件を規定している。条件式（３）の下限を上回ることで、全系において第４レンズにかかる屈折力の過剰な負担を防止し、製造による誤差がレンズに発生した際にも性能の劣化を防止することができる。一方、条件式（３）の上限を下回ることで、レンズ全長の短縮が可能となる。
【００２９】
最終レンズである第５レンズに関する条件式（４）及び条件式（５）は、第５レンズの形状を規定している。条件式（４）の上限を下回ることで、第５レンズの物体側面が弱い正の屈折力乃至負の屈折力を有することになり、また、条件式（５）の下限を上回ることで、第５レンズの負の屈折力を主に像側面で担うことになり、その結果、バックフォーカスを確保しやすくなる。一方、条件式（５）の上限を下回ることで、像側面の曲率半径が極端に小さくなることがなくなって、テレセントリック性の確保が容易になる。また、加工性の観点からも好ましくなる。
【００３０】
上記特徴的構成によると、全長を短縮しつつ諸収差が良好に補正された、Ｆナンバーの明るい５枚構成の撮像レンズ及びそれを備えた撮像光学装置を実現することが可能である。そして、その撮像光学装置を携帯電話，携帯情報端末等のデジタル機器に用いれば、デジタル機器に対し高性能の画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。
【００３１】
以下の条件式（２ａ）を満足することが更に望ましい。
０．３５＜Ｐａｉｒ１２／Ｐ＜０．６  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００３２】
以下の条件式（３ａ）を満たすことが望ましく、条件式（３ｂ）を満たすことが更に望ましい。
１．４＜Ｐ４／Ｐ＜１．６５  …（３ａ）
１．４＜Ｐ４／Ｐ＜１．６  …（３ｂ）
これらの条件式（３ａ），（３ｂ）は、前記条件式（３）が規定している条件範囲のなかでも、前記観点等に基づいた更に好ましい条件範囲を規定している。したがって、好ましくは条件式（３ａ）、更に好ましくは条件式（３ｂ）を満たすことにより、上記効果をより一層大きくすることができる。
【００３３】
以下の条件式（４ａ）を満足することが更に望ましい。
−０．７＜ｆ／Ｒ５Ａ＜０．３  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。また、条件式（４ａ）の下限を上回ることで、光束を跳ね上げすぎることがなくなるため、テレセントリック性の確保が容易になる。
【００３４】
以下の条件式（５ａ）を満足することが更に望ましい。
０．６＜（Ｒ５Ａ＋Ｒ５Ｂ）／（Ｒ５Ａ−Ｒ５Ｂ）＜１．４  …（５ａ）
この条件式（５ａ）は、前記条件式（５）が規定している条件範囲のなかでも、前記観点等に基づいた更に好ましい条件範囲を規定している。したがって、好ましくは条件式（５ａ）を満たすことにより、上記効果をより一層大きくすることができる。
【００３５】
以下の条件式（６）を満足することが望ましい。
−０．１＜Ｐ３／Ｐ  …（６）
ただし、
Ｐ３：第３レンズの近軸における屈折力、
Ｐ：全系の近軸における合成屈折力、
である。
【００３６】
条件式（６）は、第３レンズの屈折力を適切に規定して、撮像レンズ全長の短縮化を実現するための条件を規定している。条件式（６）の下限を上回ることで、負の屈折力が強くなりすぎず、全長が大きくなるのを防止することができる。
【００３７】
以下の条件式（６ａ）を満たすことが望ましく、条件式（６ｂ）を満たすことが更に望ましい。
０≦Ｐ３／Ｐ  …（６ａ）
０≦Ｐ３／Ｐ＜０．５  …（６ｂ）
これらの条件式（６ａ），（６ｂ）は、前記条件式（６）が規定している条件範囲のなかでも、前記観点等に基づいた更に好ましい条件範囲を規定している。したがって、好ましくは条件式（６ａ）、更に好ましくは条件式（６ｂ）を満たすことにより、上記効果をより一層大きくすることができる。また、条件式（６ｂ）の上限を下回ることで、正の屈折力が強くなりすぎず、像面湾曲を良好に補正することができる。
【００３８】
以下の条件式（７）を満足することが望ましい。
１＜Ｒ３Ａ／ｆ＜５  …（７）
ただし、
Ｒ３Ａ：第３レンズの物体側面の近軸における曲率半径、
である。
【００３９】
条件式（７）は、第３レンズの物体側面の形状を適切に規定して、収差の補正とレンズ全長の短縮とを両立させるための条件を規定している。条件式（７）の下限を上回ることで、軸外光束のコマ収差の発生を低減することができる。また、加工性の観点からも好ましくなる。一方、条件式（７）の上限を下回ることで、屈折力が弱くなりすぎず、全長が大きくなるのを防止することができる。
【００４０】
以下の条件式（７ａ）を満足することが更に望ましい。
１＜Ｒ３Ａ／ｆ＜３．５  …（７ａ）
この条件式（７ａ）は、前記条件式（７）が規定している条件範囲のなかでも、前記観点等に基づいた更に好ましい条件範囲を規定している。したがって、好ましくは条件式（７ａ）を満たすことにより、上記効果をより一層大きくすることができる。
【００４１】
以下の条件式（８）を満足することが望ましい。
４０＜Ｖｄ３  …（８）
ただし、
Ｖｄ３：第３レンズのアッベ数、
である。
【００４２】
条件式（８）は、第３レンズの分散に関して、色収差の補正を適切に行うための条件を規定している。条件式（８）の下限を上回ることで、軸上色収差が大きくなりすぎるのを防止することができる。
【００４３】
以下の条件式（８ａ）を満足することが更に望ましい。
５０＜Ｖｄ３  …（８ａ）
この条件式（８ａ）は、前記条件式（８）が規定している条件範囲のなかでも、前記観点等に基づいた更に好ましい条件範囲を規定している。したがって、好ましくは条件式（８ａ）を満たすことにより、上記効果をより一層大きくすることができる。
【００４４】
以下の条件式（９）を満足することが望ましい。
０．０５＜Ｔ３４／ｆ＜０．２０  …（９）
ただし、
Ｔ３４：第３レンズと第４レンズとの光軸上の間隔、
ｆ：全系の近軸における合成焦点距離、
である。
【００４５】
条件式（９）は、第３レンズと第４レンズとの軸上における適切な空気間隔を規定している。条件式（９）の下限を上回ることで、軸上光束と軸外光束とを分離することが可能になり、軸外光束の収差補正が容易になる。一方、条件式（９）の上限を下回ることで、全長が大きくなりすぎるのを防止することができる。
【００４６】
以下の条件式（９ａ）を満たすことが望ましく、条件式（９ｂ）を満たすことが更に望ましい。
０．１０＜Ｔ３４／ｆ＜０．２０  …（９ａ）
０．１０＜Ｔ３４／ｆ＜０．１５  …（９ｂ）
これらの条件式（９ａ），（９ｂ）は、前記条件式（９）が規定している条件範囲のなかでも、前記観点等に基づいた更に好ましい条件範囲を規定している。したがって、好ましくは条件式（９ａ）、更に好ましくは条件式（９ｂ）を満たすことにより、上記効果をより一層大きくすることができる。
【００４７】
前記第２レンズは物体側に凸面を向けたメニスカス形状を有することが望ましい。第２レンズをこのような形状にすれば、第１レンズの主点位置から第２レンズの主点位置を離すことができ、製造による第１，第２レンズの相対位置のズレ等による性能劣化を、より効果的に防止することができる。
【００４８】
以下の条件式（１０）を満足することが望ましい。
０．９＜（Ｒ４Ａ＋Ｒ４Ｂ）／（Ｒ４Ａ−Ｒ４Ｂ）＜１．６  …（１０）
ただし、
Ｒ４Ａ：第４レンズの物体側面の近軸における曲率半径、
Ｒ４Ｂ：第４レンズの像側面の近軸における曲率半径、
である。
【００４９】
条件式（１０）は、第４レンズの形状を適切に設定して、収差補正とテレセントリック性とを両立させるための条件を規定している。条件式（１０）の下限を上回ることで、像面湾曲を小さくすることが可能となる。一方、条件式（１０）の上限を下回ることで、像側の曲率半径が小さくなりすぎるのを防止することができるため、加工性が損なわれない。また、結像位置から主点位置を離すことができるため、テレセントリック性を高めることができる。
【００５０】
以下の条件式（１０ａ）を満たすことが望ましく、条件式（１０ｂ）を満たすことが更に望ましい。
１．１＜（Ｒ４Ａ＋Ｒ４Ｂ）／（Ｒ４Ａ−Ｒ４Ｂ）＜１．６  …（１０ａ）
１．１＜（Ｒ４Ａ＋Ｒ４Ｂ）／（Ｒ４Ａ−Ｒ４Ｂ）＜１．３  …（１０ｂ）
これらの条件式（１０ａ），（１０ｂ）は、前記条件式（１０）が規定している条件範囲のなかでも、前記観点等に基づいた更に好ましい条件範囲を規定している。したがって、好ましくは条件式（１０ａ）、更に好ましくは条件式（１０ｂ）を満たすことにより、上記効果をより一層大きくすることができる。
【００５１】
前記第５レンズは負の屈折力を有し、以下の条件式（１１）を満足することが望ましい。
−２．５＜Ｐ５／Ｐ＜−１．７  …（１１）
ただし、
Ｐ５：第５レンズの近軸における屈折力、
Ｐ：全系の近軸における合成屈折力、
である。
【００５２】
条件式（１１）は、第５レンズの屈折力を適切に設定して、収差補正とバックフォーカスの確保とを両立させるための条件を規定している。条件式（１１）の下限を上回ることで、歪曲収差が大きくなりすぎるのを防止することができる。また、色収差，像面湾曲を良好に補正することができる。一方、条件式（１１）の上限を下回ることで、バックフォーカスを長くすることができる。
【００５３】
以下の条件式（１１ａ）を満たすことが望ましく、条件式（１１ｂ）を満たすことが更に望ましい。
−２．０＜Ｐ５／Ｐ＜−１．７  …（１１ａ）
−１．９＜Ｐ５／Ｐ＜−１．７  …（１１ｂ）
これらの条件式（１１ａ），（１１ｂ）は、前記条件式（１１）が規定している条件範囲のなかでも、前記観点等に基づいた更に好ましい条件範囲を規定している。したがって、好ましくは条件式（１１ａ）、更に好ましくは条件式（１１ｂ）を満たすことにより、上記効果をより一層大きくすることができる。
【００５４】
本発明に係る撮像レンズは、前記第１レンズより物体側に開口絞りを有することが望ましい。このように開口絞りをレンズ系の最も物体側に配置すれば、射出瞳位置を撮像素子から離すことができるため、テレセントリック特性を高めることができる。
【００５５】
本発明に係る撮像レンズでは、全てのレンズがプラスチック材料で形成されていることが望ましい。つまり、撮像レンズはレンズとしてプラスチックレンズのみを有することが望ましい。近年では、固体撮像素子を含む撮像光学装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的短くする必要があるため、各レンズの曲率半径や外径がかなり小さくなってしまう。したがって、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑えることができ、その結果、成形金型の交換回数やメンテナンス回数を減少させ、コスト低減を図ることができる。
【００５６】
本発明に係る撮像レンズは、画像入力機能付きデジタル機器（例えば携帯端末）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００５７】
画像入力機能付きデジタル機器の例としては、デジタルカメラ，ビデオカメラ，監視カメラ，車載カメラ，テレビ電話用カメラ等のカメラが挙げられ、また、パーソナルコンピュータ，携帯端末（例えば、携帯電話，スマートフォン（高機能携帯電話），モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００５８】
図１３に、画像入力機能付きデジタル機器の一例として、デジタル機器ＤＵの概略構成例を模式的断面で示す。図１３に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、平行平板ＰＴ（撮像素子ＳＲのカバーガラス；必要に応じて配置される光学的ローパスフィルタ，赤外カットフィルタ等の光学フィルタ等に相当する。）と、撮像レンズＬＮにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００５９】
撮像レンズＬＮは、物体側より順に第１〜第５レンズＬ１〜Ｌ５からなる５枚構成の単焦点レンズであり、前述したように、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００６０】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピュータからなっており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００６１】
次に、第１〜第６の実施の形態を挙げて、撮像レンズＬＮの具体的な光学構成を説明する。図１，図３，図５，図７，図９，図１１に、無限遠合焦状態にある撮像レンズＬＮの第１〜第６の実施の形態を光学断面でそれぞれ示す。第ｊレンズＬｊ（ｊ＝１〜５）は物体側からｊ番目に位置するレンズであり、撮像レンズＬＮの像側に配置されている平行平板ＰＴは、光学的ローパスフィルタ，ＩＲカットフィルタ，固体撮像素子のシールガラス等を想定したものである。撮像レンズＬＮを構成している全てのレンズ面は非球面であり、全てのレンズはプラスチック材料を光学材料として想定している。また、オートフォーカスやマクロ切り替え機能等での焦点位置合わせを、第１レンズＬ１から第５レンズＬ５までを一体で移動させて行う全体フォーカスを想定している。
【００６２】
第１〜第６の実施の形態の撮像レンズＬＮでは、物体側から、開口絞りＳＴ，正の第１レンズＬ１，負の第２レンズＬ２，正の第３レンズＬ３，正の第４レンズＬ４及び負の第５レンズＬ５の順に配置されている。いずれも、第１レンズＬ１は物体側に凸面を向けた形状を有しており、第２レンズＬ２は物体側に凸面を向けた負メニスカス形状を有しており、第３レンズＬ３は物体側に凸面を向けた平凸形状を有しており、第４レンズＬ４は像側に凸面を向けた正メニスカス形状を有しており、第５レンズＬ５は像側に凹面を向けた形状を有している。
【実施例】
【００６３】
以下、本発明を実施した撮像レンズの構成等を、実施例のコンストラクションデータ等を挙げて更に具体的に説明する。ここで挙げる実施例１〜６（ＥＸ１〜６）は、前述した第１〜第６の実施の形態にそれぞれ対応する数値実施例であり、第１〜第６の実施の形態を表すレンズ構成図（図１，図３，図５，図７，図９，図１１）は、対応する実施例１〜６のレンズ断面形状，レンズ配置等をそれぞれ示している。
【００６４】
各実施例のコンストラクションデータでは、面データとして、左側の欄から順に、面番号，近軸における曲率半径ｒ（ｍｍ），軸上面間隔ｄ（ｍｍ），ｄ線（波長：５８７．５６ｎｍ）に関する屈折率ｎｄ，ｄ線に関するアッベ数ｖｄ，有効半径（ｍｍ）を示す。面番号に＊が付された面は非球面であり、その面形状は面頂点を原点とするローカルな直交座標系（Ｘ，Ｙ，Ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
【００６５】
【数１】
2014142499.tif 000003
…（ＡＳ）
【００６６】
ただし、
ｈ：Ｘ軸（光軸ＡＸ）に対して垂直な方向の高さ（ｈ2＝Ｙ2＋Ｚ2）、
Ｘ：高さｈの位置での光軸ＡＸ方向のサグ量（面頂点基準）、
Ｒ：基準曲率半径（曲率半径ｒに相当する。）、
Ｋ：円錐定数、
Ａｉ：ｉ次の非球面係数、
である。
【００６７】
各種データとして、全系の焦点距離（ｆ，ｍｍ），バックフォーカス（ｆＢ，ｍｍ），Ｆナンバー（Ｆ），レンズ全長（ＴＬ，ｍｍ），撮像素子ＳＲの撮像面ＳＳの対角線長（２Ｙ’，ｍｍ；Ｙ’：最大像高），入射瞳位置（ＥＮＴＰ，第１面から入射瞳位置までの距離，ｍｍ），射出瞳位置（ＥＸＴＰ，撮像面ＳＳから射出瞳位置までの距離，ｍｍ），前側主点位置（Ｈ１，第１面から前側主点位置までの距離，ｍｍ），後側主点位置（Ｈ２，最終面から後側主点位置までの距離，ｍｍ）を示す。バックフォーカスｆＢは、平行平板ＰＴの像側面から像面ＩＭまでの距離を表すものとする。さらに、単レンズデータとして各レンズ（Ｌｊ，ｊ＝１〜５）の焦点距離（ｍｍ）を示す。また、表１に各実施例の条件式対応値を示す。
【００６８】
図２，図４，図６，図８，図１０，図１２は、実施例１〜６（ＥＸ１〜６）の収差図であり、（Ａ）は球面収差（ｍｍ）、（Ｂ）は非点収差（ｍｍ）、（Ｃ）は歪曲収差（％）、（Ｄ）と（Ｅ）はメリディオナルコマ収差（ｍｍ）を示している。収差図（Ａ），（Ｄ），（Ｅ）において、実線はｄ線（波長５８７．５６ｎｍ）、一点鎖線はＣ線（波長６５６．２８ｎｍ）、破線はｇ線（波長４３５．８４ｎｍ）に対する収差量をそれぞれ表している。
【００６９】
球面収差図（Ａ）では、各波長に対する球面収差量をそれぞれ近軸像面からの光軸ＡＸ方向のズレ量で表しており、縦軸はＦ値を表している。非点収差図（Ｂ）では、破線Ｔがｄ線に対するメリディオナル像面、実線Ｓがｄ線に対するサジタル像面を、それぞれ近軸像面からの光軸ＡＸ方向のズレ量で表しており、縦軸は像高Ｙ’を表している。歪曲収差図（Ｃ）では、横軸がｄ線に対する歪曲を表しており、縦軸が像高Ｙ’を表している。コマ収差図（Ｄ），（Ｅ）では、各像高Ｙ’での各波長に対するメリディオナルコマ収差量を示している。なお、像高Ｙ’は、撮像素子ＳＲの撮像面ＳＳの対角線長の半分に相当する。
【００７０】
実施例１の撮像レンズＬＮ（図１）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は物体側に凸の正メニスカスレンズであり、第２レンズＬ２は像側に凹の負メニスカスレンズであり、第３レンズＬ３は物体側に凸の平凸形状を有する正レンズであり、第４レンズＬ４は像側に凸の正メニスカスレンズであり、第５レンズＬ５は両凹の負レンズである。
【００７１】
実施例２の撮像レンズＬＮ（図３）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の平凸形状を有する正レンズであり、第４レンズＬ４は像側に凸の正メニスカスレンズであり、第５レンズＬ５は両凹の負レンズである。
【００７２】
実施例３の撮像レンズＬＮ（図５）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の平凸形状を有する正レンズであり、第４レンズＬ４は像側に凸の正メニスカスレンズであり、第５レンズＬ５は像側に凹の負メニスカスレンズである。
【００７３】
実施例４の撮像レンズＬＮ（図７）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の平凸形状を有する正レンズであり、第４レンズＬ４は像側に凸の正メニスカスレンズであり、第５レンズＬ５は両凹の負レンズである。
【００７４】
実施例５の撮像レンズＬＮ（図９）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の平凸形状を有する正レンズであり、第４レンズＬ４は像側に凸の正メニスカスレンズであり、第５レンズＬ５は両凹の負レンズである。
【００７５】
実施例６の撮像レンズＬＮ（図１１）は、物体側から順に、開口絞りＳＴと、正の第１レンズＬ１と、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の平凸形状を有する正レンズであり、第４レンズＬ４は像側に凸の正メニスカスレンズであり、第５レンズＬ５は両凹の負レンズである。
【００７６】
実施例１
単位：mm
面データ
面番号        r         d         nd         vd   有効半径
1(絞り)        ∞     -0.15                         0.91
2*          1.964      0.48      1.54470    56.2    0.95
3*          8.347      0.21                         0.98
4*          4.001      0.34      1.63470    23.9    1.03
5*          2.235      0.52                         1.11
6*         14.508      0.47      1.54470    56.2    1.44
7*             ∞      0.53                         1.55
8*        -12.828      0.77      1.54470    56.2    1.90
9*         -1.383      0.44                         2.13
10*     -1000.000      0.46      1.54470    56.2    2.74
11*         1.334      0.64                         3.06
12             ∞      0.11      1.51630    64.1    4.13
13             ∞                                   4.13
【００７７】
非球面データ
第2面
K=  0.24307E+00
A4=  0.30765E-02
A6=  0.36933E-02
【００７８】
非球面データ
第3面
K= -0.30000E+02
A4= -0.99010E-02
A6=  0.12412E-02
【００７９】
非球面データ
第4面
K= -0.13941E+02
A4= -0.61713E-01
A6=  0.24068E-01
A8= -0.31382E-01
A10=  0.13964E-01
【００８０】
非球面データ
第5面
K= -0.79773E+01
A4=  0.24220E-01
A6= -0.28880E-02
A8=  0.40340E-02
A10= -0.24422E-02
A12=  0.34116E-02
【００８１】
非球面データ
第6面
K= -0.16405E+02
A4= -0.48239E-01
A6=  0.11145E-01
A8=  0.44324E-02
A10=  0.19069E-02
A12= -0.74750E-03
A14= -0.93819E-04
【００８２】
非球面データ
第7面
A4= -0.53576E-01
A6= -0.28548E-02
A8=  0.13357E-01
A10= -0.11612E-01
A12=  0.69163E-02
A14= -0.13213E-02
【００８３】
非球面データ
第8面
K=  0.10000E+01
A4=  0.14991E-01
A6= -0.20388E-01
A8=  0.35684E-02
A10=  0.14763E-02
A12= -0.37229E-03
【００８４】
非球面データ
第9面
K= -0.70101E+01
A4= -0.99136E-01
A6=  0.11386E+00
A8= -0.85145E-01
A10=  0.37256E-01
A12= -0.86223E-02
A14=  0.98124E-03
A16= -0.43299E-04
【００８５】
非球面データ
第10面
K=  0.10753E+02
A4= -0.69501E-01
A6=  0.14674E-01
A8= -0.31617E-02
A10=  0.11471E-02
A12= -0.22705E-03
A14=  0.20439E-04
A16= -0.68856E-06
【００８６】
非球面データ
第11面
K= -0.65393E+01
A4= -0.44417E-01
A6=  0.98412E-02
A8= -0.16036E-02
A10=  0.14386E-03
A12= -0.64886E-05
A14=  0.13249E-06
【００８７】
各種データ
f   =4.43mm
fB  =0.54mm
F   =2.44
TL  =5.49mm
2Y' =7mm
ENTP=0mm
EXTP=-2.91mm
H1  =-1.27mm
H2  =-3.89mm
【００８８】
単レンズデータ
レンズ   始面    焦点距離
1        2        4.594
2        4       -8.631
3        6       26.635
4        8        2.781
5       10       -2.445
【００８９】
実施例２
単位：mm
面データ
面番号        r         d         nd         vd   有効半径
1(絞り)        ∞     -0.13                         0.90
2*          2.019      0.51      1.54470    56.2    0.94
3*        -19.823      0.13                         0.98
4*          5.951      0.22      1.63470    23.9    1.02
5*          2.046      0.54                         1.07
6*         12.513      0.57      1.54470    56.2    1.32
7*             ∞      0.59                         1.50
8*        -13.675      0.84      1.54470    56.2    1.90
9*         -1.376      0.37                         2.16
10*      -733.550      0.48      1.54470    56.2    2.74
11*         1.295      0.51                         3.07
12             ∞      0.11      1.51630    64.1    4.00
13             ∞                                   4.00
【００９０】
非球面データ
第2面
K= -0.26624E+00
A4=  0.96529E-02
A6=  0.48866E-02
【００９１】
非球面データ
第3面
K=  0.30001E+02
A4=  0.40457E-01
A6= -0.16013E-01
【００９２】
非球面データ
第4面
K= -0.47498E+01
A4= -0.34235E-01
A6=  0.46921E-01
A8= -0.49955E-01
A10=  0.15104E-01
【００９３】
非球面データ
第5面
K= -0.82749E+01
A4=  0.42735E-01
A6=  0.60264E-02
A8= -0.51413E-03
A10= -0.76361E-02
A12=  0.51903E-02
【００９４】
非球面データ
第6面
K=  0.14396E+02
A4= -0.47307E-01
A6=  0.52182E-02
A8=  0.41993E-02
A10=  0.38616E-02
A12=  0.23183E-03
A14= -0.85541E-03
【００９５】
非球面データ
第7面
A4= -0.47772E-01
A6=  0.68852E-02
A8=  0.13905E-02
A10= -0.67585E-02
A12=  0.64493E-02
A14= -0.14007E-02
【００９６】
非球面データ
第8面
K=  0.10000E+01
A4= -0.17850E-01
A6=  0.66347E-02
A8= -0.66537E-02
A10=  0.34264E-02
A12= -0.52291E-03
【００９７】
非球面データ
第9面
K= -0.64719E+01
A4= -0.12251E+00
A6=  0.11717E+00
A8= -0.77328E-01
A10=  0.32934E-01
A12= -0.77226E-02
A14=  0.90803E-03
A16= -0.42214E-04
【００９８】
非球面データ
第10面
K=  0.10733E+02
A4= -0.10544E+00
A6=  0.40653E-01
A8= -0.10878E-01
A10=  0.22636E-02
A12= -0.30198E-03
A14=  0.21800E-04
A16= -0.64303E-06
【００９９】
非球面データ
第11面
K= -0.58181E+01
A4= -0.58186E-01
A6=  0.18089E-01
A8= -0.39532E-02
A10=  0.50893E-03
A12= -0.36257E-04
A14=  0.11111E-05
【０１００】
各種データ
f   =4.37mm
fB  =0.62mm
F   =2.44
TL  =5.50mm
2Y' =7mm
ENTP=0mm
EXTP=-2.82mm
H1  =-1.19mm
H2  =-3.75mm
【０１０１】
単レンズデータ
レンズ   始面    焦点距離
1        2        3.392
2        4       -5.023
3        6       22.972
4        8        2.742
5       10       -2.374
【０１０２】
実施例３
単位：mm
面データ
面番号        r         d         nd         vd   有効半径
1(絞り)        ∞     -0.11                         0.88
2*          2.093      0.49      1.54470    56.2    0.93
3*        -16.948      0.13                         0.97
4*          6.348      0.23      1.63470    23.9    1.03
5*          2.019      0.47                         1.08
6*          7.692      0.50      1.54470    56.2    1.28
7*             ∞      0.75                         1.43
8*         -7.052      0.78      1.54470    56.2    1.82
9*         -1.260      0.37                         2.07
10*        55.115      0.48      1.54470    56.2    2.73
11*         1.253      0.56                         3.08
12             ∞      0.25      1.51630    64.1    3.50
13             ∞                                   3.50
【０１０３】
非球面データ
第2面
K=  0.15132E+00
A4=  0.17083E-02
A6=  0.94564E-03
【０１０４】
非球面データ
第3面
K=  0.30000E+02
A4=  0.44903E-01
A6= -0.16422E-01
【０１０５】
非球面データ
第4面
K=  0.93078E+00
A4= -0.32395E-01
A6=  0.61543E-01
A8= -0.59633E-01
A10=  0.17729E-01
【０１０６】
非球面データ
第5面
K= -0.89403E+01
A4=  0.46086E-01
A6=  0.78496E-02
A8= -0.36549E-02
A10= -0.60912E-02
A12=  0.42567E-02
【０１０７】
非球面データ
第6面
K= -0.19544E+02
A4= -0.50545E-01
A6=  0.46647E-02
A8= -0.40236E-02
A10=  0.43771E-02
A12=  0.34312E-02
A14= -0.15864E-02
【０１０８】
非球面データ
第7面
A4= -0.48411E-01
A6=  0.81026E-02
A8= -0.12974E-01
A10=  0.46628E-02
A12=  0.14472E-02
A14= -0.35204E-03
【０１０９】
非球面データ
第8面
K=  0.10000E+01
A4= -0.21111E-01
A6=  0.51846E-02
A8= -0.41527E-02
A10=  0.27556E-02
A12= -0.50735E-03
【０１１０】
非球面データ
第9面
K= -0.56793E+01
A4= -0.13598E+00
A6=  0.13493E+00
A8= -0.10204E+00
A10=  0.50998E-01
A12= -0.14103E-01
A14=  0.19741E-02
A16= -0.11040E-03
【０１１１】
非球面データ
第10面
K=  0.10733E+02
A4= -0.68346E-01
A6=  0.10427E-01
A8=  0.40465E-02
A10= -0.19591E-02
A12=  0.34207E-03
A14= -0.27739E-04
A16=  0.87048E-06
【０１１２】
非球面データ
第11面
K= -0.51471E+01
A4= -0.53192E-01
A6=  0.15591E-01
A8= -0.32275E-02
A10=  0.41083E-03
A12= -0.30813E-04
A14=  0.10240E-05
【０１１３】
各種データ
f   =4.27mm
fB  =0.49mm
F   =2.42
TL  =5.48mm
2Y' =7mm
ENTP=0mm
EXTP=-3.01mm
H1  =-0.94mm
H2  =-3.78mm
【０１１４】
単レンズデータ
レンズ   始面    焦点距離
1        2        3.451
2        4       -4.761
3        6       14.121
4        8        2.689
5       10       -2.362
【０１１５】
実施例４
単位：mm
面データ
面番号        r         d         nd         vd   有効半径
1(絞り)        ∞     -0.12                         0.88
2*          2.071      0.49      1.54470    56.2    0.93
3*        -20.937      0.12                         0.97
4*          6.071      0.22      1.63470    23.9    1.02
5*          2.019      0.46                         1.07
6*          7.899      0.51      1.54470    56.2    1.26
7*             ∞      0.75                         1.41
8*         -5.552      0.76      1.54470    56.2    1.79
9*         -1.192      0.40                         2.02
10*     -1000.000      0.47      1.54470    56.2    2.73
11*         1.250      0.57                         3.09
12             ∞      0.25      1.51630    64.1    3.50
13             ∞                                   3.50
【０１１６】
非球面データ
第2面
K=  0.18037E+00
A4=  0.21435E-02
A6=  0.30376E-02
【０１１７】
非球面データ
第3面
K= -0.30000E+02
A4=  0.48120E-01
A6= -0.17430E-01
【０１１８】
非球面データ
第4面
K=  0.31088E+01
A4= -0.30727E-01
A6=  0.60610E-01
A8= -0.62640E-01
A10=  0.18121E-01
【０１１９】
非球面データ
第5面
K= -0.89075E+01
A4=  0.46504E-01
A6=  0.82884E-02
A8= -0.40029E-02
A10= -0.66740E-02
A12=  0.48099E-02
【０１２０】
非球面データ
第6面
K= -0.30000E+02
A4= -0.53345E-01
A6=  0.46926E-02
A8= -0.39179E-02
A10=  0.51349E-02
A12=  0.37969E-02
A14= -0.17921E-02
【０１２１】
非球面データ
第7面
A4= -0.51359E-01
A6=  0.10565E-01
A8= -0.18747E-01
A10=  0.10169E-01
A12= -0.75254E-03
A14=  0.99585E-05
【０１２２】
非球面データ
第8面
K=  0.10000E+01
A4= -0.17744E-01
A6=  0.74443E-02
A8= -0.61979E-02
A10=  0.36046E-02
A12= -0.64471E-03
【０１２３】
非球面データ
第9面
K= -0.50818E+01
A4= -0.13019E+00
A6=  0.13066E+00
A8= -0.98076E-01
A10=  0.49383E-01
A12= -0.13850E-01
A14=  0.19673E-02
A16= -0.11167E-03
【０１２４】
非球面データ
第10面
K=  0.10733E+02
A4= -0.47816E-01
A6=  0.37794E-02
A8=  0.44554E-02
A10= -0.17167E-02
A12=  0.27841E-03
A14= -0.21597E-04
A16=  0.65558E-06
【０１２５】
非球面データ
第11面
K= -0.55298E+01
A4= -0.44605E-01
A6=  0.11992E-01
A8= -0.23809E-02
A10=  0.29470E-03
A12= -0.21769E-04
A14=  0.71992E-06
【０１２６】
各種データ
f   =4.28mm
fB  =0.49mm
F   =2.43
TL  =5.48mm
2Y' =7mm
ENTP=0mm
EXTP=-3mm
H1  =-0.97mm
H2  =-3.79mm
【０１２７】
単レンズデータ
レンズ   始面    焦点距離
1        2        3.486
2        4       -4.869
3        6       14.502
4        8        2.624
5       10       -2.292
【０１２８】
実施例５
単位：mm
面データ
面番号        r         d         nd         vd   有効半径
1(絞り)        ∞     -0.14                         0.93
2*          2.113      0.43      1.54470    56.2    0.98
3*        -79.876      0.20                         1.01
4*          7.863      0.20      1.63470    23.9    1.07
5*          2.325      0.46                         1.13
6*          5.564      0.64      1.54470    56.2    1.49
7*             ∞      0.70                         1.56
8*        -18.438      0.67      1.54470    56.2    1.88
9*         -1.445      0.45                         2.19
10*        -6.595      0.49      1.53050    55.7    2.87
11*         1.483      0.71                         3.18
12             ∞      0.11      1.51630    64.1    3.50
13             ∞                                   3.50
【０１２９】
非球面データ
第2面
K=  0.12253E+00
A4=  0.24295E-02
A6=  0.71559E-03
A8=  0.30292E-03
A10=  0.44000E-02
A12= -0.73960E-03
【０１３０】
非球面データ
第3面
K= -0.30000E+02
A4=  0.23149E-01
A6=  0.11135E-02
A8= -0.67530E-02
A10=  0.66667E-02
【０１３１】
非球面データ
第4面
K= -0.28327E+01
A4= -0.24318E-01
A6=  0.38460E-01
A8= -0.34704E-01
A10=  0.91823E-02
【０１３２】
非球面データ
第5面
K= -0.88363E+01
A4=  0.38644E-01
A6=  0.92524E-02
A8= -0.36809E-02
A10= -0.75461E-02
A12=  0.45202E-02
【０１３３】
非球面データ
第6面
K= -0.17540E-01
A4= -0.35138E-01
A6=  0.58839E-02
A8=  0.72251E-03
A10=  0.26538E-03
A12=  0.73771E-03
A14= -0.19516E-03
【０１３４】
非球面データ
第7面
A4= -0.36936E-01
A6=  0.11830E-01
A8= -0.23696E-01
A10=  0.16084E-01
A12= -0.53659E-02
A14=  0.95377E-03
【０１３５】
非球面データ
第8面
K= -0.14111E+02
A4= -0.12638E-01
A6=  0.14493E-01
A8= -0.10280E-01
A10=  0.30032E-02
A12= -0.83379E-03
A14=  0.11066E-03
【０１３６】
非球面データ
第9面
K= -0.55978E+01
A4= -0.63011E-01
A6=  0.47435E-01
A8= -0.14755E-01
A10=  0.23950E-02
A12= -0.19653E-03
A14=  0.92873E-05
A16= -0.66238E-06
【０１３７】
非球面データ
第10面
K= -0.25459E-01
A4= -0.45605E-01
A6= -0.10337E-02
A8=  0.59006E-02
A10= -0.14765E-02
A12=  0.16707E-03
A14= -0.93654E-05
A16=  0.21167E-06
【０１３８】
非球面データ
第11面
K= -0.69369E+01
A4= -0.28300E-01
A6=  0.19554E-02
A8=  0.58111E-03
A10= -0.17510E-03
A12=  0.16150E-04
A14= -0.48428E-06
【０１３９】
各種データ
f   =4.1mm
fB  =0.21mm
F   =2.2
TL  =5.27mm
2Y' =7mm
ENTP=0mm
EXTP=-2.89mm
H1  =-1.33mm
H2  =-3.89mm
【０１４０】
単レンズデータ
レンズ   始面    焦点距離
1        2        3.786
2        4       -5.275
3        6       10.215
4        8        2.839
5       10       -2.235
【０１４１】
実施例６
単位：mm
面データ
面番号        r         d         nd         vd   有効半径
1(絞り)        ∞     -0.14                         0.92
2*          2.089      0.43      1.54470    56.2    0.97
3*        -92.269      0.20                         1.00
4*          7.735      0.20      1.63470    23.9    1.06
5*          2.310      0.46                         1.12
6*          5.629      0.64      1.54470    56.2    1.47
7*             ∞      0.72                         1.55
8*        -17.594      0.68      1.54470    56.2    1.87
9*         -1.422      0.44                         2.18
10*        -6.423      0.49      1.53050    55.7    2.88
11*         1.443      0.71                         3.19
12             ∞      0.11      1.51630    64.1    3.50
13             ∞                                   3.50
【０１４２】
非球面データ
第2面
K=  0.12743E+00
A4=  0.27267E-02
A6=  0.79434E-03
A8=  0.35822E-03
A10=  0.50222E-02
A12= -0.80251E-03
【０１４３】
非球面データ
第3面
K= -0.30000E+02
A4=  0.23996E-01
A6=  0.14981E-02
A8= -0.74239E-02
A10=  0.75509E-02
【０１４４】
非球面データ
第4面
K= -0.12135E+01
A4= -0.25012E-01
A6=  0.41468E-01
A8= -0.38448E-01
A10=  0.10323E-01
【０１４５】
非球面データ
第5面
K= -0.89015E+01
A4=  0.40317E-01
A6=  0.99564E-02
A8= -0.40206E-02
A10= -0.85848E-02
A12=  0.52742E-02
【０１４６】
非球面データ
第6面
K= -0.12689E+00
A4= -0.36827E-01
A6=  0.62780E-02
A8=  0.82393E-03
A10=  0.30474E-03
A12=  0.86535E-03
A14= -0.23574E-03
【０１４７】
非球面データ
第7面
A4= -0.36130E-01
A6=  0.66217E-02
A8= -0.17951E-01
A10=  0.13236E-01
A12= -0.47127E-02
A14=  0.93341E-03
【０１４８】
非球面データ
第8面
K= -0.14111E+02
A4= -0.13446E-01
A6=  0.15864E-01
A8= -0.12057E-01
A10=  0.37752E-02
A12= -0.10011E-02
A14=  0.12680E-03
【０１４９】
非球面データ
第9面
K= -0.54234E+01
A4= -0.62004E-01
A6=  0.45734E-01
A8= -0.13054E-01
A10=  0.13269E-02
A12=  0.15023E-03
A14= -0.44889E-04
A16=  0.25597E-05
【０１５０】
非球面データ
第10面
K=  0.11040E+00
A4= -0.49716E-01
A6=  0.25904E-02
A8=  0.47896E-02
A10= -0.12988E-02
A12=  0.15107E-03
A14= -0.85931E-05
A16=  0.19614E-06
【０１５１】
非球面データ
第11面
K= -0.70751E+01
A4= -0.30558E-01
A6=  0.34875E-02
A8=  0.17939E-03
A10= -0.12493E-03
A12=  0.13194E-04
A14= -0.41870E-06
【０１５２】
各種データ
f   =4.12mm
fB  =0.2mm
F   =2.23
TL  =5.26mm
2Y' =7mm
ENTP=0mm
EXTP=-2.86mm
H1  =-1.41mm
H2  =-3.91mm
【０１５３】
単レンズデータ
レンズ   始面    焦点距離
1        2        3.756
2        4       -5.265
3        6       10.334
4        8        2.799
5       10       -2.175
【０１５４】
【表１】
2014142499.tif 000004
【符号の説明】
【０１５５】
ＤＵ    デジタル機器
ＬＵ    撮像光学装置
ＬＮ    撮像レンズ
Ｌ１〜Ｌ５    第１〜第５レンズ
ＳＴ    開口絞り（絞り）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2014142499.tif 000005
【図２】
2014142499.tif 000006
【図３】
2014142499.tif 000007
【図４】
2014142499.tif 000008
【図５】
2014142499.tif 000009
【図６】
2014142499.tif 000010
【図７】
2014142499.tif 000011
【図８】
2014142499.tif 000012
【図９】
2014142499.tif 000013
【図１０】
2014142499.tif 000014
【図１１】
2014142499.tif 000015
【図１２】
2014142499.tif 000016
【図１３】
2014142499.tif 000017